【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
バッテリセルの温度敏感領域の温度を管理するように構成される熱電バッテリの熱管理システムであって、
バッテリセルの充電および放電を制御するように構成されるバッテリ管理制御装置と、
熱電装置に送られる電力を制御するように構成される熱電管理制御装置であって、前記熱電装置は、前記熱電装置への電力印加時に、主面と廃熱面との間で熱エネルギーを伝達するように構成され、前記熱電装置の前記主面は、バスバーに取り付けられており、前記バスバーは、前記バッテリセルの導電体と実質的に熱連通し、前記導電体は、前記バッテリセルへ、または前記バッテリセルから電力を送るように構成され、前記導電体は、前記バッテリセルの温度敏感領域と前記熱電装置との間で熱エネルギーを伝える導管として働く、熱電管理制御装置と、
前記バッテリセルを収納するバッテリ筐体と、
前記バッテリ管理制御装置、前記熱電管理制御装置、ならびに前記バッテリ管理制御装置および前記熱電管理制御装置の間のデータ接続部を含むプリント回路基板であって、前記バッテリ筐体内に配置され、前記熱電装置に電力を供給するための電力接続部を備えるプリント回路基板と
を備える、熱電バッテリの熱管理システム。
【請求項２】
前記熱電管理制御装置と電気連通し、前記熱電装置に提供される電流の極性を制御するように構成される制御装置を備え、電流の第１の極性は、システム動作の冷却モードにおいて提供され、第１の極性とは反対の電流の第２の極性は、システム動作の加熱モードにおいて提供される、請求項１記載の熱電バッテリの熱管理システム。
【請求項３】
前記バッテリ管理制御装置は、前記バッテリセルに制御機能を与えるように構成される、請求項１記載の熱電バッテリの熱管理システム。
【請求項４】
前記バッテリセルと熱連通し、前記熱電管理制御装置と電気連通する温度センサを備える請求項１記載の熱電バッテリの熱管理システム。
【請求項５】
前記プリント回路基板は、前記熱電装置を受け取るように構成される切欠部を備える、請求項１記載の熱電バッテリの熱管理システム。
【請求項６】
前記バスバーの表面は、前記導電体の表面と直接的に物理接触している、請求項１〜５のいずれか１項に記載の熱電バッテリの熱管理システム。
【請求項７】
前記プリント回路基板に取り付けられ、前記熱電装置の前記廃熱面を横切って空気を押し出すように、または引き出すように構成されるブロワおよびダクトのアセンブリを備え、前記ブロワおよびダクトのアセンブリは、前記バッテリ管理制御装置および前記熱電管理制御装置の少なくとも１つが、前記ブロワおよびダクトのアセンブリのブロワからの空気流が前記バッテリセルの冷却要求または加熱要求に合致するように増加または減少されるようシステム効率を最適化するように構成されるように、前記バッテリ管理制御装置および前記熱電管理制御装置の少なくとも１つと電気連通している制御装置を備える、請求項１〜５のいずれか１項に記載の熱電バッテリの熱管理システム。
【請求項８】
前記バスバーは、前記プリント回路基板および前記導電体に前記バスバーを装着するための１つまたは２つ以上の装着孔を備える、請求項１〜５のいずれか１項に記載の熱電バッテリの熱管理システム。
【請求項９】
前記バッテリセルは、筐体内にシールされ、前記筐体は、前記熱電装置に当接する高い熱伝導性材料のウィンドウを備え、前記ウィンドウは、前記ウィンドウの外部に配置される廃棄熱除去システムの部分と、前記熱電装置の前記廃熱面との間に、実質的な熱連通のためのアクセスを提供するように構成される、請求項１〜５のいずれか１項に記載の熱電バッテリの熱管理システム。
【請求項１０】
前記熱電装置は、前記バスバーの上面および底面の両方に取り付けられる、請求項１〜５のいずれか１項に記載の熱電バッテリの熱管理システム。
【請求項１１】
前記熱電装置は、前記バッテリセルの前記温度敏感領域を熱的に管理するために、前記バスバーを加熱および冷却することが可能である、請求項１〜５のいずれか１項に記載の熱電バッテリの熱管理システム。
【請求項１２】
前記バスバーは、前記熱電装置を前記プリント回路基板に固定するために、前記プリント回路基板の表面に固定される、請求項１〜５のいずれか１項に記載の熱電バッテリの熱管理システム。
【請求項１３】
前記プリント回路基板および前記バスバーの両方は、前記バスバーを前記プリント回路基板に装着するために、第１の対応する切欠部を備え、前記プリント回路基板および前記バスバーの両方は、前記バスバーおよび前記プリント回路基板を前記導電体に装着するために、第２の対応する切欠部を備える、請求項１〜５のいずれか１項に記載の熱電バッテリの熱管理システム。
【請求項１４】
複数のバスバーが、前記プリント回路基板に装着され、前記複数のバスバーのそれぞれが、第１の端部および第２の端部を備え、前記複数のバスバーを前記プリント回路基板に装着するための前記プリント回路基板上の隙間を最小化するために、前記第１の端部が前記第２の端部に対して非対称である、または傾斜されている、請求項１〜５のいずれか１項に記載の熱電バッテリの熱管理システム。
【請求項１５】
バッテリセルを熱的に管理する方法であって、前記方法は、
プリント回路基板に取り付けられるバッテリ管理制御装置を用いて、バッテリセルの充電および放電を制御することと、
前記プリント回路基板に取り付けられる熱電管理制御装置を用いて、熱電装置に送られる電力を制御することと、
前記プリント回路基板に取り付けられる電力接続部から前記熱電装置へ電力を供給することと
を含み、
前記熱電装置は、前記熱電装置への電力印加時に、主面と廃熱面との間で熱エネルギーを伝達するように構成され、
前記熱電装置の前記主面は、バスバーと物理接触し、
前記バスバーは、前記バッテリセルの電極と熱連通および電気連通し、
前記電極は、前記バッテリセルへ、または前記バッテリセルから電力を送り、前記バッテリセルの温度敏感領域と前記熱電装置との間で熱エネルギーを伝える導管として働くように構成され、
前記バッテリセルは、前記熱電装置に送られる電流の極性を調節することによって、加熱または冷却され得る、方法。
【請求項１６】
前記プリント回路基板に取り付けられるブロワおよびダクトのアセンブリを用いて、前記熱電装置の前記廃熱面を横切って空気を押し出す、または引き出すことを含む請求項１５記載の方法。
【請求項１７】
前記ブロワおよびダクトのアセンブリのブロワからの空気流を、前記バッテリセルの冷却要求または加熱要求に合致させてシステム効率を最適化するために、増加または減少させることを含む請求項１６記載の方法。
【請求項１８】
熱電バッテリの熱管理システムを製造する方法であって、
バッテリセルの充電および放電を制御するように構成されるバッテリ管理システムと、熱電装置に送られる電力を制御するように構成される熱電管理システムとに、プリント回路基板を接続することであって、前記熱電装置は、前記熱電装置への電力印加時に、主面と廃熱面との間で熱エネルギーを伝達するように構成される、バッテリ管理システムと熱電管理システムとにプリント回路基板を接続することと、
前記熱電装置の前記主面をバスバーに取り付けることと、
前記バッテリセルと熱連通および電気連通している導電体に前記バスバーを接続することであって、前記導電体は、前記バッテリセルの温度敏感領域と前記熱電装置との間で熱エネルギーを伝える導管として働くように、前記バッテリセルへ、または前記バッテリセルから電力を送るように構成される、導電体にバスバーを接続することと、
前記熱電装置に電力を供給するために、前記プリント回路基板上に配置される電力接続部を前記熱電装置に接続することと
を含む方法。
【請求項１９】
前記熱電装置を受け取るように構成される切欠部を前記プリント回路基板に形成することを含む請求項１８記載の方法。
【請求項２０】
前記プリント回路基板にブロワおよびダクトのアセンブリを取り付けることを含み、前記ブロワおよびダクトのアセンブリは、前記熱電装置の前記廃熱面を横切って空気を押し出すように、または引き出すように構成され、前記ブロワおよびダクトのアセンブリは、前記バッテリ管理システムおよび前記熱電管理システムの少なくとも１つが、前記ブロワおよびダクトのアセンブリのブロワからの空気流が前記バッテリセルの冷却要求または加熱要求に合致するように増加または減少されるようシステム効率を最適化するように構成されるように、前記バッテリ管理システムおよび前記熱電管理システムの少なくとも１つと電気連通する制御装置を備える、請求項１８または１９記載の方法。
【請求項２１】
前記プリント回路基板および前記導電体に前記バスバーを装着することを含む請求項１８または１９記載の方法。
【請求項２２】
前記バッテリセルを筐体内にシールすることを含み、前記筐体は、前記熱電装置に当接するウィンドウを備え、前記ウィンドウは、前記ウィンドウの外部に配置される廃棄熱除去システムの部分と、前記熱電装置の前記廃熱面との間の実質的な熱連通のためのアクセスを提供するように構成される、請求項１８または１９記載の方法。